(57)【要約】【課題】  テレビジョン放送の受信番組をデモモードのコンテンツとして用いると、番組のコンテンツによっては、効果的なデモが行えない場合が生じる。【解決手段】  映像信号を表示する映像表示装置において、前記映像信号の属性情報を検出する検出部と、前記映像信号の画質を調整する画質調整部と、前記画質調整部で画質を調整しない映像信号を表示する第1の領域と前記画質調整部で画質調整をする又は画質調整をしない映像信号を表示する第２の領域を含む表示画面に前記映像信号を表示する表示部と、制御部と、を備え、前記制御部は前記検出部で検出された属性情報を用いて前記第２の領域に表示する映像信号の画質を調整するように前記画質調整部を制御することを特徴とするように構成する。【選択図】図１
2009147669.tif 000002
【特許請求の範囲】
【請求項１】
映像信号を表示する映像表示装置において、
前記映像信号の属性情報を検出する検出部と、
前記映像信号の画質を調整する画質調整部と、
前記画質調整部で画質を調整しない映像信号を表示する第1の領域と前記画質調整部で画質調整をする又は画質調整をしない映像信号を表示する第２の領域を含む表示画面に前記映像信号を表示する表示部と、
制御部と、を備え、
前記制御部は前記検出部で検出された属性情報を用いて前記第２の領域に表示する映像信号の画質を調整するように前記画質調整部を制御することを特徴とする映像表示装置。
【請求項２】
請求項１に記載の映像表示装置であって、
前記属性情報検出部は、前記映像信号のＥＰＧ情報を検出及び／または前記映像信号のテレシネ検出を行うことにより前記映像信号の属性情報を検出することを特徴とする映像表示装置。
【請求項３】
請求項１に記載の映像表示装置であって、
前記画質調整部は、前記映像信号の複数のフレームから映像信号の動きを検出して、フレーム間の補間フレームを生成して前記映像信号のフレームレートを変換することを特徴とする映像表示装置。
【請求項４】
請求項１に記載の映像表示装置において、
前記制御部は、前記検出部が検出した属性情報に基づき前記画質調整部が前記映像信号の画質を調整するか否かを判定する判定部を有していることを特徴とする映像表示装置。
【請求項５】
請求項４に記載の映像表示装置において、
前記映像信号のチャンネルを選局する選局部を有しており、
前記判定部が前記属性情報に基づき前記画質調整部が前記映像信号の画質を調整しないと判定したときに、前記制御部は前記映像信号のＥＰＧ情報に基づきチャンネルを再選局するように前記選局部を制御することを特徴とする映像表示装置。
【請求項６】
請求項４に記載の映像表示装置において、
前記画質調整部とは異なる画質の調整を行う第２の画質調整部を有しており、
前記判定部が前記属性情報に基づき前記画質調整部が前記映像信号の画質を調整しないと判定したときに、前記制御部は前記第２の領域に表示する映像信号を前記第２の画質調整部で調整するように前記第２の画質調整部を制御することを特徴とする映像表示装置。
【請求項７】
請求項４に記載の映像表示装置において、
動画サンプルが予め記憶された記憶部を有し、
前記判定部が前記属性情報に基づき前記画質調整部が前記映像信号の画質を調整しないと判定したときに、前記制御部は前記第２の領域に前記動画サンプルを表示するように前記記憶部から前記動画サンプルを読み出すように前記記憶部を制御することを特徴とする映像表示装置。
【請求項８】
請求項４に記載の映像表示装置において、
前記映像信号に所定の文字情報を合成して前記表示部に表示させるＯＳＤ回路を有し、
前記制御部は、前記判定部が前記属性情報に基づき前記画質調整部が前記映像信号の画質を調整しないと判定したときに、前記第２の領域は前記画質調整部による画質調整が行われていない旨の文字情報を前記第２の領域内に表示するように前記ＯＳＤ回路を制御することを特徴とする映像表示装置。
【請求項９】
請求項４に記載の映像表示装置において、
前記判定部が前記属性情報に基づき前記画質調整部が前記映像信号の画質を調整しないと判定したときに、前記制御部は前記表示部の全画面に前記画質調整部で画質を調整しない映像を表示するように前記表示部を制御することを特徴とする映像表示装置。
【請求項１０】
映像信号を表示する映像表示装置において、
第1の領域と第２の領域を含む前記映像信号を表示画面に表示する表示部と、
前記映像信号の属性情報を検出する検出部と、
前記映像信号の複数のフレームから映像信号の動きを検出してフレーム間の補間フレームを生成して前記映像信号のフレームレートを変換する動き適応フレームレート変換部と、
制御部と、を備え、
前記制御部は、前記第１の領域に表示する映像信号には前記動き適応フレームレート変換部によりフレームレート変換を行わず、前記第２の領域に表示する映像信号には前記検出部で検出された属性情報に基づき前記動き適応フレームレート変換部によりフレームレート変換する又は前記フレームレート変換部によりフレームレート変換しないように前記動き適応フレームレート変換部を制御することを特徴とする映像表示装置。
【請求項１１】
請求項１０に記載の映像表示装置であって、
前記属性情報検出部は、前記映像信号のＥＰＧ情報を検出及び／または前記映像信号のテレシネ検出を行うことにより前記映像信号の属性情報を検出することを特徴とする映像表示装置。
【請求項１２】
請求項１０に記載の映像表示装置であって、
前記制御部は、前記検出部が検出した属性情報に基づき前記画質調整部が前記映像信号の画質を調整するか否かを判定する判定部を有しており、
前記判定部が前記属性情報に基づき前記画質調整部が前記映像信号の画質を調整しないと判定したときに、前記制御部は前記第１の領域及び前記第２の領域に表示する映像信号に前記動き適応フレームレート変換部によりフレームレート変換しないように前記動き適応フレームレート変換部を制御することを特徴とする映像表示装置。
【請求項１３】
前記１２に記載の映像表示装置において、
前記映像信号に所定の文字情報を合成して前記表示部に表示させるＯＳＤ回路を有し、
前記制御部は、前記判定部が前記属性情報に基づき前記画質調整部が前記映像信号の画質を調整しないと判定したときに、前記第１の領域及び前記第２の領域は前記画質調整部による画質調整が行われていない旨の文字情報を前記表示部に表示するように前記ＯＳＤ回路を制御することを特徴とする映像表示装置。
【請求項１４】
映像信号を表示する映像表示装置において、
前記映像信号が入力される入力部と、
前記映像信号の複数のフレームから映像信号の動きを検出してフレーム間の補間フレームを生成して前記映像信号のフレームレートを変換する動き適応フレームレート変換部と、
第1の領域と第２の領域を含む前記映像信号を表示画面に表示する表示部と、を備え、
前記入力部に前記映像信号の属性情報がフィルム映像ではない映像信号が入力されたとき前記第１の領域及び前記第２の領域には前記動き適応フレームレート変換部でフレームレート変換されない映像信号が表示されることを特徴とする映像表示装置。  
【請求項１５】
請求項１４に記載の映像表示装置において、
前記入力部に前記映像信号の属性情報がフィルム映像ではない映像信号が入力されたとき前記表示部には、前記第１の領域及び前記第２の領域は前記動き適応フレームレート変換部によるフレームレート変換が行われていない旨の文字情報が前記表示部に表示されることを特徴とする映像表示装置。
【請求項１６】
入力された映像信号を処理する映像処理装置において、
前記映像信号の属性情報を検出する検出部と、
前記映像信号の画質を調整する画質調整部と、
前記画質調整部で画質が調整された映像信号を第1の領域と第２の領域を含む表示画面に前記映像信号を表示する表示部へ出力する出力部と、
制御部と、を備え、
前記制御部は前記検出部で検出された属性情報に基づき前記第２の領域に表示する映像信号の画質を調整するように前記画質調整部を制御することを特徴とする映像処理装置。
【請求項１７】
請求項１６に記載の映像処理装置であって、
前記属性情報検出部は、前記映像信号のＥＰＧ情報を検出及び／または前記映像信号のテレシネ検出を行うことにより前記映像信号の属性情報を検出することを特徴とする映像処理装置。
【請求項１８】
請求項１６に記載の映像処理装置であって、
前記画質調整部は、前記映像信号の複数のフレームから映像信号の動きを検出して、フレーム間の補間フレームを生成して前記映像信号のフレームレートを変換することを特徴とする映像処理装置。
【発明の詳細な説明】
【技術分野】
【０００１】
本発明は、例えば第１の領域と第２の領域を含む表示画面の所定の領域で画質調整した映像を表示する映像表示装置に関する。
【背景技術】
【０００２】
従来、画質向上機能の効果を店頭で顧客に積極的にアピールするため、もしくはユーザが画質調整の設定のため、画質調整前後の画像を同一画面に表示するデモモードを有した映像表示装置が知られている。例えば、特許文献１には、表示画面を左右の領域に分割し、左領域に原映像を表示し、右領域に画質調整した映像を表示する映像表示装置が記載されている。
【０００３】
【特許文献１】特開２００１−２６８４７５号公報
【発明の開示】
【発明が解決しようとする課題】
【０００４】
しかし、特許文献１では、入力映像信号がどのような映像であるかにかかわらず画質調整前後の映像を並列表示を行うものである。従って、入力される映像信号の内容によっては、画質調整前と後の状態を比較表示するのに適さない場合が存在する。例えば、本来、フィルム映像（シネマ等のフィルムソース）に対して効果が得られる動き適応フレームレート変換（後述する）を通常の１秒間のコマ数が６０枚である画像に行ったとしても画質調整前後の相違が視認しずらい。従って、このような場合、当該画質調整（動き適応フレームレート変換等）がユーザにとってその効果を確認できるものとは言えず、当該映像表示装置の使い勝手は十分ではない。
【０００５】
本発明は、上記課題に鑑みて為されたものであり、その目的は、ユーザの使い勝手を向上させた映像表示装置を提供することにある。
【課題を解決するための手段】
【０００６】
上記課題を解決するために、本発明による映像表示装置は、第1の領域と第２の領域を含む表示画面に前記映像信号を表示する表示部と、前記映像信号の属性情報を検出する検出部と、前記映像信号の画質を調整する画質調整部と、前記画質調整部を制御する制御部と、を備え、前記制御部は前記検出部で検出された属性情報に基づき前記第２の領域に表示する画像を調整するように前記画質調整部を制御する構成とする。
【０００７】
本発明の映像表示装置は、上記のように構成されているので、画像調整に適した画像に対して適切に画像調整を施し、当該画像調整前後の画像を表示することができる。
【発明の効果】
【０００８】
上記のように、本発明によれば、ユーザの使い勝手を向上させた映像表示装置を提供することができる。
【発明を実施するための最良の形態】
【０００９】
以下、本発明の最良の形態について、図を参照して説明する。なお、各図において、共通な機能を有する要素には同一な符号を付して示し、一度説明したものについては、その重複する説明を省略する。
【００１０】
現在市販されてテレビジョン放送受信装置では、高画質な映像と高画質とする前の映像とを例えば同一画面の左右に並行配置して表示するデモを行う高画質化機能（画質調整機能）として、例えば、前記したテレシネ映像の動きを滑らかに描写する「滑らかシネマ」や、６０フレーム／秒の映像を１２０フレーム／秒の映像にフレームレート変換して表示する「２倍速表示」、インターレース−プログレッシブ変換（以下、「IP変換」という）などがある。以下では、本発明による実施例において、デモモードに使用する高画質化機能として、「滑らかシネマ」機能（後述する）を用いて説明するものとする。しかし、本発明はこれに限定されるものではない。また、説明を簡単とするため、テレビジョン放送受信装置で受信される番組映像信号形式はインターレースであるとする。
【００１１】
まず、フィルム映像（シネマ等のフィルムソース）に対し、動き適応フレームレート変換を行った場合の課題について説明する。
【００１２】
説明の都合上、先ず、図７を用いて２−３プルダウン方式テレシネ変換について説明する。なお、図７において、フィールドＮｏ.は、実際のフィールドＮｏ.とは異なり、説明のための便宜上のフィールドＮｏ.である。
【００１３】
放送局側では、図７に示すように、１秒間のコマ数が２４枚であるフィルム映像（フィルムソース）に対して、例えば、１コマ目の映像Ａから第１フィールドＡｏ（「ｏ」は奇数フィールドを意味する添え字），第２フィールドＡｅ（「ｅ」は偶数フィールドを意味する添え字）の２フィールド分の映像を生成し、２コマ目の映像Ｂから第３フィールドＢｏ，第４フィールドＢｅ，第５フィールドＢｏの３フィールド分の映像を生成し、続けて、以下同様に、３コマ目の映像Ｃから第６フィールドＣｅ，第７フィールドＣｏの２フィールド分の映像、４コマ目の映像Ｄから第８フィールドＤｅ，第９フィールドＤｏ，第１０フィールドＤｅの３フィールド分の映像を生成するという変換を逐次行う２−３プルダウン方式により、２４Ｈｚ（２４フレーム／秒）のフィルム映像信号を６０Ｈｚ（６０フィールド／秒，３０フレーム／秒）に変換（この変換を２−３プルダウン方式テレシネ変換といい、以下、「テレシネ変換」と称する）して送信している。なお、このテレシネ変換された映像は一般にテレシネ映像と呼ばれている。つまり、同一のフィルム映像から変換された２乃至３フィールドの間は画像が静止していると見なすことができる。従って、特に、物体が移動するような場合、テレシネ変換後の映像（テレシネ映像）における物体の動きが動いたり止まったりすることになり、ギクシャクして見える場合がある。
【００１４】
この現象は特に一方向に動くシーンにおいて顕著となる。そこで、テレシネ映像に対して、この現象を緩和するために、例えば、前後の複数のフレームから動き方向を検出し、このフレーム間を埋める補間画像を生成して補間フレームを生成し、フレームレート変換後の映像の動きを滑らかにするフレームレート変換技術を適用したテレビジョン放送受信装置が市場に普及されつつある。以降、このようなフレームレート変換を「動き適応フレームレート変換」といい、この動き適応フレームレート変換を用いて、映像の動きを滑らかにする技術を「滑らかシネマ」と称するものとする。
【００１５】
上記した「滑らかシネマ」技術の効果を店頭で顧客にアピールするため、又はユーザが画質調整の設定のため、テレビジョン放送信号受信モードにおいて、例えば、表示画面の左領域に原映像としてのテレシネ映像を表示し、右領域にテレシネ映像に対して「滑らかシネマ」による画質調整がなされた映像を表示するデモモードを行うものとする。このとき、受信されるテレビジョン放送信号がテレシネ映像であれば、動きのあるシーンで「滑らかシネマ」の効果をアピールすることができる。しかしながら、常時、テレシネ映像が放送されていることはなく、元映像がフィルムソースではない通常のビデオソースの映像も放送されている。もし、その放送の受信映像信号がテレシネ映像でなければ、「滑らかシネマ」の効果はなくその効果をアピールすることができないことになる。このことは、画質調整前後の画像を同一の画面で表示するデモモードにおいては、その効果を見てとれないことがより顕著なってしまうので、「滑らかシネマ」の有効性を確認することが難しいなる可能性がある。従って、以下では、使い勝手をより向上させた映像表示装置の実施例につき説明する。
【実施例１】
【００１６】
図１は、実施例１によるテレビジョン放送受信装置の模式構成図である。
【００１７】
図１に示すように、テレビジョン放送受信装置は、チューナ部１００と、ハードディスク駆動装置（以下、「ＨＤＤ駆動装置」という）１５０と、セレクタ１６０と、入力された映像信号と音声信号（以下、「ＡＶ信号」という）に対して所定の信号処理を行う信号処理部２００と、映像表示部３００と、演算制御部４００とを含んでなる。なお、本実施例では、説明を容易いとするため、信号処理回路２００に入力される映像信号源として、チューナ部１００とＨＤＤ駆動装置１５０を挙げているが、これらに例えば図示しないＤＶＤプレーヤなどの外部機器である映像再生装置などを加えてもよい。
【００１８】
そして、チューナ部１００は、選局部１０１と、デマルチプレクサ１０２と、ＭＰＥＧ（Moving Picture Experts Group）デコーダ１０３とを含んでなる。また、信号処理部２００は、インターレース−プログレッシブ変換（ＩＰ変換）部２０１と、テレシネ検出部２０２と、スケーラ２０３と、フレームレートコンバータ（以下、「ＦＲＣ」と省略する）２０４と、テレシネ検出部２０５と、画質補正部２０６と、分割信号生成部２０７と、ＯＳＤ回路２０８とを含んでなる。また、演算制御部４００は、ＣＰＵ（Central Processing Unit）４０１と、フラッシュメモリ４０２と、メモリ４０３と、キー入力部４１１と、リモートコントローラ（以下、「リモコン」と省略する）７０からの赤外線信号を受信する受光部４１２とを含んでなる。
【００１９】
まず、演算制御部４００から説明する。
【００２０】
受光部４１２は、テレビジョン放送受信装置の遠隔操作を行うリモコン７０からの例えば赤外線（ＩＲ）のリモコン信号を受信して電気信号に変換し、ＣＰＵ４０１に出力する。キー入力部４１１は、図示しない複数の操作ボタンで構成され、ユーザによるボタン（キー）操作を検出する。リモコン７０および／またはキー入力部４１１上には、ＨＤＤ駆動装置１５０からのデモモード専用コンテンツの映像に基づいてデモモードを行う専用コンテンツデモモード指示ボタン（図示せず）と、チューナ部１００で受信した番組映像でデモモードを行うチューナデモモード指示ボタン（図示せず）と、これらのデモモードを解除するデモモード解除ボタン（図示せず）があるものとする。デモモード指示ボタンは、一つのボタン操作で指示されるものでも、複数のボタンの同時操作で指示されるものでも構わない。以下では、リモコン７０上にデモモード指示ボタンやデモモード解除ボタンがあるものとする。
【００２１】
ＣＰＵ４０１は、ユーザによるキー入力部４１１の操作により、あるいはリモコン７０からのコマンドを受光部４１２を介して受信することにより、書き換え可能な不揮発性のフラッシュメモリ４０２に格納されているプログラムに従って、テレビジョン放送受信装置を構成する各部を制御する。詳細は後述するが、例えば、チューナ部１００で受信した番組映像でデモモードを行うチューナデモモード指示ボタンの操作を受けると、チューナ部１００で受信した番組映像でのデモモードを実行するように信号処理部２００を制御する。また、ＣＰＵ４０１は番組（コンテンツ）の属性に基づいて映像信号の画質調整（ここでは、動き適応フレームレート変換）を行うか否かを判定する判定部を有している。本実施例では、この判定部は、たとえば、番組属性がシネマを表す場合動き適応フレームレート変換を行い、シネマ以外を表す場合は当該フレームレート変換を行わないと判定する。この判定部が番組属性判定処理を行うために、ＣＰＵ４０１は、予め、必要なＥＰＧ（Electronic Program Guide：電子番組ガイド）情報をデマルチプレクサ１０２から逐次取得し、取得したＥＰＧ情報をメモリ４０３に格納しておく。デモモードの際には、メモリ４０３に格納されているＥＰＧ情報から番組の属性がシネマであるか否かを判定し、デモモード下におけるデモモードの実行、中断、終了、OSD表示、他動作の制御を行う。また、テレシネ検出部２０２およびテレシネ検出部２０５から入力されるテレシネ検出フラグ（以下、「テレシネ検出Ｆ」と記す）を用いて、番組（コンテンツ）属性判定の補強を行う。つまり、ＣＰＵ４０１は画質調整部であるＦＲＣ２０４、ＯＳＤ回路２０８、チューナ部１００、セレクタ１６０等の制御部であると共に、放送番組の属性を検出する属性検出部としても機能する。
【００２２】
メモリ４０３は、ＲＡＭ(Random Access Memory)で構成されるワーキング用のメモリである。このメモリには、デマルチプレクサ１０２を介して、例えば、ＰＡＴ（Program Association Table），ＰＭＴ（Program Map Table）などの番組特定情報（ＰＳＩ：Program Specific Information）や、ＳＤＴ（Service Description Table），ＥＩＴ（Event Information Table）などのＥＰＧ情報が書き込まれる。なお、メモリ４０３に格納されたＰＳＩ，ＥＰＧ情報は電源オフ時には、フラッシュメモリ４０２に格納され、保持される。
【００２３】
本実施例では、詳細は後述するが、２−３プルダウン方式の映像（テレシネ映像）と、前後の複数のフレームから補間画像を生成する動き適用フレームレート変換を用いた「滑らかシネマ」の映像と、を例えば同一画面の左右に並行配置して表示するデモモードが、ユーザによって例えばリモコン７０を介して指示された場合、受信番組の属性を判定する番組属性判定処理を行い、番組がシネマ（映画）であればデモモードを実行し、そうでなければデモモードの実行を保留（あるいは中断）し、例えば原映像を全画面に表示する、又は左右画面共に原画像を表示する。
【００２４】
ＨＤＤ駆動装置１５０は、記録媒体と調整用映像データ処理部とを有しており、ここではデモモード用のシネマコンテンツが記録してある記録媒体としてハードディスクドライブ（ＨＤＤ）を用いるものとする。ハードディスク駆動装置１５０の詳細の説明は省略する。
【００２５】
次に、チューナ部１００を説明する。チューナ部１００は、デジタル方式のテレビジョン放送（例えば地上波デジタルテレビジョン放送、ＢＳデジタルデジタルテレビジョン放送など）を受信して所望の放送番組データを出力するもので、選局部１０１と、デマルチプレクサ１０２と、ＭＰＥＧデコーダ１０３とを含んでなる。
【００２６】
選局部１０１は、演算制御部４００を構成するＣＰＵ４０１の制御の基で、アンテナ１０で受信された放送信号（ＲＦ信号）に含まれる所望の放送チャンネルを選局して復調し、種々のデータが多重化されているＴＳ（Transport Stream）をデマルチプレクサ１０２に出力する。なお、ＴＳには、放送データ（例えば、番組のビデオ信号およびオーディオ信号を圧縮した圧縮データ）や、各種の付加情報（例えば、番組特定情報や番組配列情報）が含まれている。映像番組の付加情報である番組特定情報（ＰＳＩ：Program Specific Information）としては、例えば、ＰＡＴ（Program Association Table），ＰＭＴ（Program Map Table），ＮＩＴ（Network Information Table）などがある。また、番組配列情報（ＳＩ：Service Information）としては、例えば、ＳＤＴ（Service Description Table），ＥＩＴ（Event Information Table）など電子番組表を構成する基になるＥＰＧ情報がある。
【００２７】
デマルチプレクサ１０２は、ＣＰＵ４０１により設定されたフィルタ条件に従って、選局部１０１から出力されるＴＳから必要なデータ（ＴＳパケット）を抽出し分離する。例えば、所望チャンネルに含まれる所望放送番組のＡＶデータのＴＳパケットを抽出して、ＭＰＥＧデコーダ１０３に出力する。また、番組配列情報（ＳＩ）、例えばＳＤＴ，ＥＩＴなどのＥＰＧ情報のＴＳパケットなどを抽出し、ＣＰＵ４０１を介してメモリ４０３に格納する。
【００２８】
なお、フィルタ条件の設定は、ＣＰＵ４０１がメモリ４０３に格納されたＰＡＴ，ＰＭＴなどに記述された情報内容に基づいて行う。例えば、所望チャンネルにおける映像番組のＡＶデータを抽出する場合、所望チャンネルのサービスｉｄ（プログラム番号）に対応したＰＩＤ（Packet Identification）をＰＡＴ，ＰＭＴから見出だし、該ＰＩＤをデマルチプレクサ１０２に設定する。そして、デマルチプレクサ１０２は該ＰＩＤを有するＡＶデータのＴＳを抽出する。
【００２９】
ＭＰＥＧデコーダ１０３は、デマルチプレクサ１０２から入力された放送番組のＡＶデータに対してデコード処理を行い、映像信号と音声信号（ＡＶ信号）をセレクタ１６０に出力する。
【００３０】
セレクタ１６０は、ここでは、チューナ部１００から入力されるＡＶ信号と、ＨＤＤ駆動回路１５０から入力されるＡＶ信号とを、ＣＰＵ４０１の制御に基づいて切り替えて信号処理部２００へ出力する。なお、ＨＤＤ駆動回路１５０から入力されるＡＶ信号が選択された場合には、デモモード専用の動画コンテンツを用いて、デモモードを行うことができる。
【００３１】
次に、信号処理回路２００について説明する。なお、以下の説明では、説明を簡単とするため、音声信号に関する説明を省略し、映像信号について記述するものとする。
【００３２】
信号処理部２００へ入力された映像信号は、まず、ＩＰ変換部２０１に入力される。ＩＰ変換部２０１は、入力された映像信号がインターレース形式であればプログレッシプ形式に変換する。また、入力された映像信号がプログレッシプ形式であればそのまま出力する。
【００３３】
テレシネ検出部２０２は、入力された映像信号が２−３プルダウン方式のインターレース形式のテレシネ映像信号であるかを検出する。
【００３４】
２−３プルダウン方式のテレシネ映像信号は、図７を用いて述べたように、例えば、同一コマ（奇数番目のコマ）の映像から変換された２フィールドと、次の同一コマ（偶数番目のコマ）の映像から変換された３フィールドとからなる５フィールドを一括りとして、次々に繰り返されて形成される。従って、例えば、図７の第３フィールドＢｏと第５フィールドＢｏとは同一の映像信号となるのでフレーム間差分は零となる。また、第８フィールドＤｅと第１０フィールドＤｅも同一の映像信号となるのでフレーム間差分は零となる。つまり、フレーム間差分を考えると５フィールド毎に差分が零となるフィールドが発生する。従って、フレーム間差分を求めた時に、差分が零となるフィールドが５フィールド毎に発生することを検出することにより、テレシネ映像信号を識別することができる。また、テレシネ映像信号を例えばＩＰ変換する際に必要となるテレシネ映像信号の位相検出については、前記フレーム差分値が零となるタイミングから容易に識別することができる。
【００３５】
テレシネ検出部２０２は、入力された映像信号が２−３プルダウン方式のインターレース形式のテレシネ映像信号であることを検出すると、テレシネ映像であることを示すテレシネ検出Ｆ（テレシネ検出フラグ）をＣＰＵ４０１に送る。また、ＩＰ変換部２０１に対して例えばテレシネ位相情報およびテレシネ検出Ｆを送る。なお、テレシネ検出部２０２は、入力された映像信号が２−３プルダウン方式のプログレッシブ形式の映像信号である場合には、テレシネ検出を行わない。
【００３６】
ＩＰ変換部２０１は、テレシネ検出Ｆを受けると、テレシネ映像信号に対してＩＰ変換を行う。ＩＰ変換の動作について図８を用いて説明する。なお、説明を簡単とするため、逆プルダウン変換をした後についても、フィールド番号，フィールド添え字は変えないものとする。
【００３７】
図８は、ＩＰ変換の動作を模式的に説明する図である。ＩＰ変換部２０１は、テレシネ映像信号が入力されると、図８に示すように、図示しないテレシネ位相情報に基づき、まず、重複フィールドである第５フィールドＢｏや第１０フィールドＤｅを削除する逆２−３プルダウン変換（「逆プルダウン変換」ともいう）を実施する。次に、テレシネ映像信号の第１フィールドＡｏと第２フィールドＡｅとをはめ込んで第１フレームＡとし、第２フレームは第１フレームを繰り返す。次に、第３フィールドＢｏと第４フィールドＢｅとをはめ込んで第３フレームＢとし、第４フレームと第５フレームは第３フレームを繰り返す。以下同様に、第６フィールドＣｅと第７フィールドＣｏとをはめ込んで第６フレームＣとし、第７フレームは第６フレームを繰り返す。第８フレームは、第８フィールドＤｅと第９フィールドＤｏとをはめ込んで第８フレームＤとし、第９フレームと第１０フレームは第８フレームを繰り返す。
【００３８】
なお、このような同じフレーム映像を繰り返すフレームレート変換を、以降の説明の都合上、「リピート変換」と称するものとする。リピート変換は、課題の項で指摘したインタ−レース形式の２−３プルダウン方式テレシネ変換の場合と同様に、例えばシネマ（映画コンテンツ）の一方向に動くシーンにおいては、物体の動きが動いたり止まったりすることになり、ギクシャクして見える場合がある。
【００３９】
分割信号生成部２０７は、例えば画面を左右の２画面に分割するための画面分割信号を出力するように、ＣＰＵ４０１から指示されると、入力映像信号の水平同期信号Ｈと垂直同期信号Ｖを基に、画面分割信号Ｓ２０７を生成し、スケーラ２０３およびＦＲＣ２０４に出力する。
【００４０】
スケーラ２０３は、ＣＰＵ４０１の制御の基で、入力された映像信号に対して、映像表示部３００で表示可能な解像度となるように、水平方向および垂直方向の画素補間を行い、補間した映像信号をＦＲＣ２０４に出力する。また、スケーラ２０３は、例えば、表示画面を左領域と右領域に２分割する指示をＣＰＵ４０１から受け、かつ、分割信号生成部２０７から画面分割信号Ｓ２０７を受けた場合、図２（ａ）に示すように、画面分割信号Ｓ２０７に基づいて表示画面を左領域と右領域に２分割した各領域に表示できるように、入力映像信号を水平方向および垂直方向に１／２に圧縮した映像信号を生成する。
【００４１】
なお、本実施例では、後述するＦＲＣ２０４において、図２（ｂ）に示すように、表示画面の左領域（網掛け領域）に番組映像の画質を第２の状態とした第２映像（すなわち、動き適応フレームレート変換された滑らかシネマ映像）を表示し、右領域に番組映像の画質を第１の状態とした第１映像（すなわち、リピート変換されたシネマ映像）を表示する。勿論、逆に表示してもよい。
【００４２】
テレシネ検出部２０５は、スケーラ２０３から出力されるリピート変換されたプログレッシブ形式の映像信号から、例えば、図８に示すように、５フレームを単位として、同じフレームが連続して３回繰り返されるという特徴を用いてテレシネ検出を行い、テレシネ検出ＦをＦＲＣ２０４に送るとともに、ＣＰＵ４０１にも送る。なお、テレシネ検出は、映像信号が水平方向に１／２に圧縮されているので、表示画面の左領域（あるいは、右領域）の映像から検出することになることは明らかであろう。
【００４３】
ＦＲＣ２０４は、ＣＰＵ４０１の制御の基で、入力された映像信号に対して、フレームレート変換を行う。例えば、２倍速表示モードが設定された場合、６０フレーム／秒の映像信号を倍速の１２０フレーム／秒の映像信号に変換する。また、ＦＲＣ２０４は、入力映像信号がテレシネ映像信号で、かつ、ＣＰＵ４０１から「滑らかシネマ」モード処理が指示された場合には、逆プルダウン変換を行って、元の２４コマ／秒のシネマ映像信号を再現した後、例えば、少なくとも前後の複数のフレームから動き方向を検出し、このフレーム間を埋める補間画像を生成して補間フレームを形成する動き適応フレームレート変換を行う。なお、この場合には、ＦＲＣ２０４に入力されるリピート変換されたテレシネ映像信号のフレームレートと動き適応フレームレート変換後のテレシネ映像信号のフレームレートは同じである。また、ＦＲＣ２０４は、ＣＰＵ４０１から「滑らかシネマ」によるデモモード処理が指示され、かつ、分割信号生成部２０７から画面分割信号Ｓ２０７を受けた場合、画面分割信号Ｓ２０７に基づいて、図２（ｂ）のように、スケーラ２０３から入力される表示画面の左領域（第２映像領域）における圧縮されたテレシネ映像信号に対しては、動き適応フレームレート変換を行い第２映像としての滑らかシネマ映像とし、右領域（第１映像領域）における圧縮されたテレシネ映像信号に対しては、動き適応フレームレート変換を行わず、第１映像としてのリピート変換されたシネマ映像のまま出力するという処理を行う。
【００４４】
画質補正部２０６は、ＦＲＣ２０４からの映像信号に対して、シャープネス、ノイズリダクション、コントラスト、色相、彩度、ガンマ、明るさなどの画質補正を行う。そして、画質補正部２０６は、画質補正された映像信号をＯＳＤ回路２０８に送る。
【００４５】
ＯＳＤ回路２０８は、ＣＰＵ４０１の制御のもと画質補正部２０６から送られた映像に所定の文字信号を合成して、その出力を映像表示部３００へ送る。
【００４６】
映像表示部３００は、例えば平面型表示パネルであり、プラズマディスプレイパネル（以下、「ＰＤＰ」と省略）や液晶パネルなどが挙げられる。映像表示部３００は、信号処理部２００から入力された映像信号を表示する。なお、映像表示部３００が液晶パネルで構成されている場合には、そのパネルの特性により２倍速表示機能を用いることが有効である。
【００４７】
本実施例によるテレビジョン放送受信装置は、以上述べたように構成されている。従って、例えば、チューナ部１００で受信されたシネマ番組のテレシネ映像を「滑らかシネマ」モードとせず映像表示部で視聴する場合、２−３プルダウン方式によるインターレース形式のシネマ映像はＩＰ変換部２０１でリピート変換されたプログレッシブ形式のシネマ映像信号に変換される。そして、リピート変換されたテレシネ映像信号が映像表示部３００に入力され表示される。また、「滑らかシネマ」モードで視聴する場合は、ＩＰ変換部２０１でリピート変換されたテレシネ映像信号は、更にＦＲＣ２０４で動き適応フレームレート変換された後、映像表示部３００に入力され表示される。また、チューナ部１００で受信した番組映像での「滑らかシネマ」のデモモードの場合、ＩＰ変換部２０１でリピート変換されたテレシネ映像信号は、スケーラ２０３で水平方向および垂直方向に１／２に圧縮した映像信号とされ、表示画面を左領域と右領域に２分割した各領域に表示できるようにされる。そして、ＦＲＣ２０４により、表示画面の左領域における圧縮されたテレシネ映像信号に対して動き適応フレームレート変換が行われ、右領域における圧縮されたテレシネ映像信号に対してはそのまま出力される。
【００４８】
次に、チューナ部１００で受信した番組映像でデモモードが指示された場合における、番組属性に基づくデモモード処理について、図３を用いて説明する。
【００４９】
図３は、本実施例による番組属性判定処理を備えるデモモード処理について模式的に説明するフロー図である。
【００５０】
図３において、図示しない顧客によりリモコン７０を介してチューナ部１００で受信した番組映像での「滑らかシネマ」のデモモードが指示されると、ＣＰＵ４０１は、現在の画質設定状態を例えばメモリ４０３に記憶（所謂プリセット）させた後、デモモード処理を開始する。そして、ＣＰＵ４０１は、ステップ（以下、ステップを「Ｓ」で示す）１で、チューナ部１００で受信されている番組の属性がシネマであるか否かを判定する。この判定は、本実施例では、メモリ４０３に予めチューナ部１００から取得して格納されているＥＰＧ情報を用いて判定する。Ｓ１の判定で属性がシネマでＹ（はい）の場合、ＣＰＵ４０１は、Ｓ２に進み、属性がシネマでなくてＮ（いいえ）の場合、Ｓ１１に移行する。
【００５１】
Ｓ２では、ＣＰＵ４０１は、テレシネ検出部２０２，テレシネ検出部２０５からテレシネ映像が検出されたときに出力されるテレシネ検出Ｆ（フラグ）が入力されているかチェックする。もし、チューナ部１００で受信され出力されている番組映像が２−３プルダウン方式のインターレース形式のテレシネ映像信号である場合、テレシネ検出部２０２とテレシネ検出部２０５の両方からテレシネ検出Ｆが入力される。また、番組映像が２−３プルダウン方式のプログレッシブ形式のテレシネ映像信号である場合、テレシネ検出Ｆは、テレシネ検出部２０２からは入力されず、テレシネ検出部２０５からのみ入力される。つまり、番組映像が２−３プルダウン方式のテレシネ映像信号である場合には、少なくとも、テレシネ検出部２０５からはテレシネ検出Ｆが入力される。従って、テレシネ検出部２０５からのテレシネ検出Ｆのみをチェックするようにしてもよい。Ｓ２の判定でＹの場合Ｓ３に進み、Ｎの場合Ｓ１１に進む。
【００５２】
Ｓ１とＳ２の判定がＮの場合、あるいは、Ｓ１はＹでＳ２がＮである場合、ＣＰＵ４０１は、Ｓ１１で、デモモード処理を保留し、その実行を中断する。そして、デモモードに移行する前のテレビジョン放送受信装置の設定状態をメモリ４０３から呼び出して再現する。つまり、ＣＰＵ４０１は、信号処理部２００に対して、デモモードに移行する前のプリセットされた画質設定状態（動き適応フレームレート変換を行わない設定状態）で受信番組映像を全画面表示する、またはデモモードに移行する前のプリセットされた画質設定状態（動き適応フレームレート変換を行わない設定状態）で受信番組映像を画面右領域と画面左領域とに並列表示するようにを指示する。その後Ｓ４に進む。なお、Ｓ１はＹでＳ２がＮである状態は、例えば、番組はシネマ番組であるが、現在コマーシャル放送中である場合に該当する。コマーシャル放送受信中に「滑らかシネマ」のデモモードを実行しても、その効果を発揮することができない。このような場合を想定し、本実施例では、第１にＥＰＧ情報を用いて番組のシネマ属性を判定し、第２にテレシネ検出Ｆを用いてシネマ番組の一時中断（例えば、コマーシャルによる）を判定するようにしている。つまり、本実施例では、放送番組の属性を検出する属性検出部は、２つの属性検出部からなり、第１の属性検出部は演算制御手段４００であり、第２の属性検出部はテレシネ検出部２０２，２０５である。なお、属性検出部は、演算制御手段４００のみであってもよいし、テレシネ検出部２０５のみであってもよい。
【００５３】
Ｓ３では、ＣＰＵ４０１は、信号処理部２００に対して、２−３プルダウン方式によるテレシネ映像を逆プルダウン変換した後リピート変換することによりＩＰ変換したリピート変換テレシネ映像と、動き適応フレームレート変換された「滑らかシネマ」のテレシネ映像とを、例えば同一画面の左右に並行配置して表示するよう制御する。そしてＳ４に移行する。
【００５４】
ＣＰＵ４０１は、Ｓ４に進むと、キー入力部４１１での顧客によるキー操作と、受光部４１２を介しての顧客によるリモコン７０操作を検出して、デモモード解除ボタン（図示せず）が操作され、デモモードがオフされたかを判定する。そして、Ｎであれば、Ｓ２１に進み、その他の処理を行い、Ｓ１に戻る。また、Ｓ４でＹであれば、デモモードに移行する前のテレビジョン放送受信装置の設定状態を再現して、デモモードを終了する。勿論、デモモード解除ボタン操作後続いて滑らかシネマモードでの表示が指示された場合には、ＣＰＵ４０１は、信号処理部２００に対して、テレシネ映像を滑らかシネマモードで表示するように制御する。
【００５５】
以上述べたように、本実施例によれば、チューナデモモード指示ボタンが操作されると、第１の番組属性検出手段である演算制御手段４００と、第２の番組属性検出手段であるテレシネ検出手段２０２，２０５とを用いて、受信番組がシネマ属性であるか否かを検出することができる。そして、属性がシネマであれば、デモモード処理を実行しとし、そうでなければデモモードを保留（あるいは中断）する。従って、デモ専用のシネマコンテンツを用いることなくとも、チューナで受信した番組映像を用いて、適切なデモモードを提供することができる。これにより、大規模販売店（所謂量販店）の店頭において、テレビジョン放送信号を受信して、顧客に対してアピール効果のあるデモモードを実演することが可能となり、また、ユーザの画質調整のためのデモモード画面を適切に表示可能となり、使い勝手の向上した映像表示装置を提供できる。
【００５６】
なお、上記した本実施例では、２−３プルダウン方式のテレシネ映像に対して、リピート変換テレシネ映像と、動き適応フレームレート変換された「滑らかシネマ」のテレシネ映像とを、例えば同一画面の左右に並行配置して表示するデモモードを行う場合に本発明を適用したが、本発明はこれに限定されるものではない。
【００５７】
例えば、６０フレーム／秒の映像を１２０フレーム／秒の映像にフレームレート変換した２倍速フレームレート変換映像と、元の６０フレーム／秒の原映像とを、同一画面の左右に並行配置して表示するデモモードを行う場合にも、本発明を適用することができる。この場合には、２倍速表示を効果的に示すことができる映像コンテンツとしては、動きが速い動画コンテンツが望ましい。その一例として、例えばスポーツ番組映像を挙げることが出来る。そこで、２倍速表示のデモモードでは、番組の属性を「スポーツ」とすれば、デモモードを効果的にすることができる。
【００５８】
また、スポーツ番組でも時折コマーシャル放送が挿入される場合がある。コマーシャル放送波一般に映像の動きが遅い。そこで、ＦＲＣ２０４で、例えば前後のフレーム間の動きベクトルの変化量あるいは変化速度を検出して、その検出値が予め定められた所定の閾値を超える場合、動き検出Ｆ（フラグ）をＣＰＵ４０１に入力するようにすれば、出力映像の動きが速いと見なし得る。つまり、２倍速表示のデモモードでは、動き検出Ｆ（フラグ）を用いて、２倍速表示のデモの信頼性を高めることができる。
【００５９】
また、本実施例では、映像信号を水平方向と垂直方向に１／２に圧縮し、圧縮した映像を例えば同一画面の左右の領域に並行配置して表示するデモモードに、本発明を適用したが、本発明はこれに限定されるものではない。例えば、映像信号を圧縮せず、表示画面を左右領域に分割して、右領域に対して、リピート変換されたテレシネ映像信号で表示し、左領域に対して、リピート変換されたテレシネ映像信号に動き適応フレームレート変換を施した「滑らかシネマ」のテレシネ映像信号で表示するようにしてもよい。また、画面を複数の領域に分割し、所定の領域に対し、リピート変換されたテレシネ映像信号に動き適応フレームレート変換を施した「滑らかシネマ」のテレシネ映像信号で表示するようにしてもよい。
【実施例２】
【００６０】
実施例１では、現在受信しているチャンネルの番組の属性がシネマである場合にデモモードを実行し、シネマで無い場合にはデモモードを保留あるいは中断するようにしたが、本発明はこれに限定されるものではない。
【００６１】
現在受信しているチャンネルの番組の属性がシネマでない場合、他に番組属性がシネマであるチャンネルがあれば、そのチャンネルを再選局するようにしてもよい。
【００６２】
これにより、受信した番組が画質調整の効果を得られない番組だったとしても、その効果の得られる番組を選局できるため、適切なデモ画面を提供できる。この処理は、実施例１のフロー図である図３を修正することで実現することができる。以下、このような処理を追加した実施例２について説明する。
【００６３】
図４は、実施例２によるデモモード処理のフロー図である。本実施例は、実施例１のフロー図である図３の処理Ｓ１とＳ１１との間に、処理Ｓ３１，３２を追加した点が異なるので、追加した処理Ｓ３１，３２について説明する。
【００６４】
ＣＰＵ４０１は、Ｓ１で、現在受信チャンネルの番組属性を判定し、シネマであればＳ２に進み、シネマでなければＳ３１に進む。Ｓ３１では、メモリ４０３に格納されている受信可能なテレビジョン放送（例えば、地上波デジタル放送，ＢＳデジタル放送など）のＥＰＧ情報から、番組属性がシネマである番組がないかチェックする。あれば、Ｓ３２に進み、チューナ部１００を制御してシネマ番組のチャンネルを選局し、Ｓ２に移行する。Ｓ３１で他にもシネマ番組がなければ、Ｓ１１に進み、デモモードを保留とする。
【００６５】
上記実施例によると、受信した番組が画質調整の効果を得られない番組だったとしても、その効果の得られる番組を選局できるため、適切なデモ画面を提供できる。
【００６６】
また、本実施例では、画質調整に適さない映像信号を受信したときにチャンネルを再選局したが、本実施例はこれに限られるものでない。たとえば、画質調整に適さない映像信号を受信したときに表示画面の左領域（第２映像領域）にＦＲＣ２０４とは異なる画質補正部２０６等で画質補正（たとえば、シャープネス、ノイズリダクション、コントラスト、色相、彩度、ガンマ、明るさなどの画質補正）がされたデモ画面を表示するようにしてもよい。これにより、動き適応フレームレート変換に適さない映像信号を受信した場合であっても、画質補正のデモ画面を提供し続けることが可能となる。
【００６７】
また、本実施例では、上述の形態に限られるものでない。たとえば、画質調整に適さない映像信号を受信したときに表示画面の左領域（第２映像領域）に予めHDD駆動装置１５０に格納された所定の動画サンプル（たとえば動き適応フレームレート変換に適したフィルム映像）を表示するようにHDD駆動装置１５０から動画サンプルを読み出してもよい。これにより、動き適応フレームレート変換に適さない映像信号を受信した場合であっても、適切なデモ画面を提供し続けることが可能となる。
【実施例３】
【００６８】
実施例１では、２−３プルダウン方式のテレシネ映像に対して、リピート変換テレシネ映像と、動き適応フレームレート変換された「滑らかシネマ」のテレシネ映像とを、例えば同一画面の左右に並行配置して表示するデモモードを行う場合に、テレシネ映像を検出するのに、第１にＥＰＧ情報から番組のシネマ属性を検出し、第２にテレシネ検出部で用いて２−３プルダウン方式のテレシネ映像を検出して番組属性判定を補強するようにしたが、本発明はこれに限定されるものではない。
【００６９】
例えば、図３のデモモード処理フロー図から明らかなように、Ｓ１のＥＰＧ情報から番組のシネマ属性を検出する過程をなくしても、Ｓ２のテレシネ検出部を用いたテレシネ映像検出でも十分である。このような方法によると、属性検出の工程を簡素化でき、より実用的な映像表示装置を提供できる。
【００７０】
図５は、テレシネ検出部のみでシネマ属性を検出するようにした実施例３によるテレビジョン放送受信装置の模式構成図である。図６は、実施例２におけるデモモード処理のフロー図である。
【００７１】
図５において、実施例１の図１とは、演算制御装置４００ＡのＣＰＵ４０１Ａに、テレシネ検出部２０５からのみテレシネ検出Ｆが入力されている点で異なる。また、図６から明らかなように、実施例１の図３とは、ＥＰＧ情報を用いた番組属性判定をしてない点で異なる。その他は、実施例１に同じであり、以下、異なる点について説明する。
【００７２】
ＣＰＵ４０１Ａには、チューナ部１００からＰＳＩ，ＥＰＧ情報が入力されているが、これは、チューナ部１００の選局部１０１の選局処理と、選局部１０１から送出されるＴＳから受信チャンネルの所望番組のＡＶデータを抽出してＭＰＥＧデコーダ１０３に入力させる処理と、図示しない録画部のタイマー録画制御などを行うためである。本実施例では、図５に示すように、ＥＰＧ情報から番組のシネマ属性を判定しない。
【００７３】
実施例１で記述したが、２−３プルダウン方式のインターレース形式のテレシネ映像に対して、ＩＰ変換部２０１で、リピート変換によりプログレッシブ形式とされても、テレシネ検出部２０５により、プログレッシブ形式のテレシネ映像信号からテレシネ検出してテレシネ検出Ｆ（フラグ）をＣＰＵ４０１Ａへ入力するので、必ずしも、テレシネ検出部２０２のテレシネ検出Ｆ（フラグ）をＣＰＵ４０１Ａへ入力する必要はない。
【００７４】
これにより、ＣＰＵ４０１Ａの処理プログラムも簡素化でき、また、配線も簡単となり、属性情報検出の工程を簡素化できるためより実用的な映像表示装置を提供できる。
【実施例４】
【００７５】
実施例１では、表示領域の右領域に動き適応フレームレート変換をしない映像を表示し、表示画面の左領域に映像信号の属性情報に基づいて動き適応フレームレート変換された滑らかシネマ映像又は動き適応フレームレート変換をしない映像を表示していた。
【００７６】
しかし、映像信号の属性情報がシネマを表すものではなく、右画面及び左画面に動き適応フレームレート変換されない(滑らかシネマ機能ＯＦＦ)映像が表示された場合には、本実施例では、表示領域の右画面又は左画面が滑らかシネマ機能を適用したものであるかの文字情報を表示するものである。これにより、ユーザは、滑らかシネマ機能が適用されている画面であるか否かの判断をすることができ、滑らかシネマの機能を誤解する可能性が低下する。
【００７７】
実施例４について、図９を用いて説明する。
【００７８】
例えば、属性情報がシネマを表す映像信号を受信した場合には、ＣＰＵ４０１は、その属性情報検出部を検出し、画面左領域では滑らかシネマ機能を行い、画面右領域では滑らかシネマ機能を行わないように、ＦＲＣ２０４を制御する。このとき、ＣＰＵ４０１は、この制御に伴って、画面左領域には該領域では滑らかシネマ機能を行っていることの文字情報(たとえば「滑らかシネマＯＮ」)を、また画面右領域には該領域では滑らかシネマ機能を行っていないことの文字情報(たとえば「滑らかシネマＯＦＦ」)の表示をするように、ＯＳＤ回路２０８を制御する(図９(a))。
【００７９】
一方、属性情報がシネマでない属性を表す映像信号を受信した場合には、ＣＰＵ４０１は、その属性情報検出部を検出し、画面左領域及び画面右領域に表示される映像信号に滑らかシネマ機能を行わないように、ＦＲＣ２０４を制御する。このとき、ＣＰＵ４０１は、この制御に伴って、画面左領域及び右領域において滑らかシネマ機能を行っていないことの文字情報(たとえば「滑らかシネマＯＦＦ」)を表示するように、ＯＳＤ回路２０８を制御する(図９(b))。
【００８０】
上記実施例によれば、左右の画面において画質調整されないデモ画面が表示された場合であっても、ユーザは、当該画質調整がされた画面であるか否かの判断をすることができ、当該映像表示装置はユーザにとって使い勝手が向上したものとなる。
【００８１】
また本実施例はこれに限られず、実施例２において行った動作についての文字情報も表示することもできる。
【００８２】
たとえば、属性情報がシネマでない属性を表す映像信号を受信し、シネマ番組を再選局している間に、当該再選局している旨の文字情報(たとえば、「シネマ番組選局中」)を表示する。これにより、適切なデモ画面を提供する番組を選局していることユーザが判断できる。
【００８３】
また、本実施例では、上述の形態に限られるものでない。たとえば、属性情報がシネマでない属性を表す映像信号を受信し、表示画面の左領域にFRC２０４とは異なる画質補正部２０６等で画質補正（たとえば、シャープネス、ノイズリダクション、コントラスト、色相、彩度、ガンマ、明るさなどの画質補正）がされたデモ画面を表示したときに、当該画質補正の内容を示す文字情報(たとえば、「シャープネス補正実行中」)を表示する。これにより、動き適応フレームレート変換に適せない映像信号を受信した場合であっても、画質補正のデモ画面を提供し続けることが可能なり、かつユーザがその画質補正の内容を知ることができる。
【図面の簡単な説明】
【００８４】
【図１】実施例１によるテレビジョン放送受信装置の模式構成図。
【図２】実施例１に係わる表示画面の分割を説明する図。
【図３】実施例１による番組属性判定処理を備えるデモモード処理のフロー図。
【図４】実施例２によるデモモード処理のフロー図。
【図５】実施例３によるテレビジョン放送受信装置の模式構成図。
【図６】実施例３によるデモモード処理のフロー図。
【図７】２−３プルダウン方式テレシネ変換動作を説明する図。
【図８】ＩＰ変換の動作を模式的に説明する図。
【図９】実施例４に係わる表示画面を説明する図。
【符号の説明】
【００８５】
１０  アンテナ、７０  リモコン、１００  チューナ部、１５０  ＨＤＤ駆動装置、１６０  セレクタ、２００  信号処理部、１０１  選局部、１０２  デマルチプレクサ、１０３  ＭＰＥＧデコーダ、２０１  ＩＰ変換部、２０２  テレシネ検出部、２０３  スケーラ、２０４  ＦＲＣ、２０５  テレシネ検出部、２０６  画質補正部、２０７  分割信号生成部、２０８  ＯＳＤ回路、３００  映像表示部、４００  演算制御部、４０１  ＣＰＵ、４０２  フラッシュメモリ、４０３  メモリ、４１１  キー入力部、４１２  受光部、Ｓ２０７  画面分割信号、
【図１】
2009147669.tif 000003
【図２】
2009147669.tif 000004
【図３】
2009147669.tif 000005
【図４】
2009147669.tif 000006
【図５】
2009147669.tif 000007
【図６】
2009147669.tif 000008
【図７】
2009147669.tif 000009
【図８】
2009147669.tif 000010
【図９】
2009147669.tif 000011